(57)【要約】【課題】  例えばスマートフォンやタブレット端末等の、カメラ機能を搭載した携帯情報端末を片手でしっかりと支持することを可能とし、かつ、携帯情報端末を片手でしっかりと支持した状態のままで撮影を行うことを可能にする携帯情報端末用支持具を提供する。【解決手段】  携帯情報端末用支持具１は、略直方体状の外観を呈し、携帯情報端末２が装着可能なケース３と、ケース３の一端部側に枢着され、当該ケース３の裏面側で回動可能なグリップ４と、を備えている。そして、グリップ４は、ケース３とのなす角度が若干鈍角となる回動位置、及び、折り畳んだ回動位置で節度をもって保持されるように構成されている。【選択図】  図１
0003203438.tif 000002
【実用新案登録請求の範囲】
【請求項１】
略直方体状の外観を呈し、携帯情報端末が装着可能な支持具本体と、前記支持具本体の一端部側に枢着され、当該支持具本体の裏面側で回動可能なグリップと、を備え、前記グリップが所定の回動位置で保持されるように構成されていることを特徴とする携帯情報端末用支持具。
【請求項２】
前記グリップは、略長方形状の板材からなり、当該グリップを把持したときに親指以外の指が当たる辺が、人差し指側から小指側に向かって下り傾斜となるように形成されている、請求項１に記載の携帯情報端末用支持具。
【請求項３】
前記グリップは、ハンドストラップを備えている、請求項１又は２に記載の携帯情報端末用支持具。
【考案の詳細な説明】
【技術分野】
【０００１】
本考案は、例えばスマートフォンやタブレット端末等の、カメラ機能を搭載した携帯情報端末を装着して使用される携帯情報端末用支持具に関する。更に詳細には、本考案は、携帯情報端末を片手でしっかりと支持することを可能とし、かつ、携帯情報端末を片手でしっかりと支持した状態のままで撮影を行うことを可能にする携帯情報端末用支持具に関する。
【背景技術】
【０００２】
スマートフォンでの写真撮影や動画撮影は、その都度、ポケットやバッグから当該スマートフォンを取り出して行われている。  しかし、特に観光地等においては、何度もシャッターを切るチャンスがあり、スマートフォンをいちいち仕舞ったり取り出したりしていたのでは、シャッターチャンスを逃してしまう虞がある。
【０００３】
そこで、従来、スマートフォンに装着して片手で安定して支持することのできるスマートフォンケースが提案されている（例えば、特許文献１参照）。特許文献１に開示されたスマートフォンケースは、スマートフォンに装着可能なケース本体部と、該ケース本体部の背面に指挿通部を形成し得る支持部と、を備えたことを特徴としている。  そして、特許文献１に開示されたスマートフォンケースの構成によれば、スマートフォンにケース本体部を装着した状態で、支持部に指を挿通してケース本体部を把持することにより、スマートフォンを片手で安定して支持しておくことができるので、当該スマートフォンをいちいち仕舞ったり取り出したりする必要がない。その結果、シャッターチャンスを逃す可能性を低くすることが可能となる。
【先行技術文献】
【特許文献】
【０００４】
【特許文献１】特開２０１３−１７０５９号公報
【考案の概要】
【考案が解決しようとする課題】
【０００５】
しかし、特許文献１に開示されたスマートフォンケースでは、スマートフォンを落としてしまわないようにしっかり把持しておくと（特許文献１の図４のような状態）、撮影可能な状態（特許文献１の図３のような状態）に持って行くのに時間がかかり、やはりシャッターチャンスを逃してしまう虞がある。一方、シャッターチャンスに備えてスマートフォンを撮影可能な状態のまま軽く把持しておくと（２〜３本の指での把持  特許文献１の図３のような状態）、スマートフォンを落としてしまう虞がある。また、撮影の際には、このようにスマートフォンを軽く把持することとなるため、高所や足場の悪い場所での撮影の際にスマートフォンを落としてしまう危険性がある。
【０００６】
本考案は、従来技術における前記課題を解決するためになされたものであり、例えばスマートフォンやタブレット端末等の、カメラ機能を搭載した携帯情報端末を片手でしっかりと支持することを可能とし、かつ、携帯情報端末を片手でしっかりと支持した状態のままで撮影を行うことを可能にする携帯情報端末用支持具を提供することを目的とする。
【課題を解決するための手段】
【０００７】
前記目的を達成するため、本考案に係る携帯情報端末用支持具の構成は、
（１）略直方体状の外観を呈し、携帯情報端末が装着可能な支持具本体と、前記支持具本体の一端部側に枢着され、当該支持具本体の裏面側で回動可能なグリップと、を備え、前記グリップが所定の回動位置で保持されるように構成されていることを特徴とする。
【０００８】
本考案においては、支持具本体として、例えば、スマートフォンケース等の直方体状のケース、スマホ自撮り棒におけるスマホホルダ、スマートフォン車載ホルダにおけるホルダ部分等を用いることができる。
支持具本体として直方体状のケースを用いる場合には、携帯情報端末を、ケースの上端開口部から当該ケース内に装着するようにしてもよく、ケースの側面開口部から当該ケース内に装着するようにしてもよい。
また、支持具本体として直方体状のケースを用いる場合には、ケースの底面の、携帯情報端末のメインカメラのレンズに対応する箇所に開口が設けられていてもよく、当該箇所を透明な部材で形成するようにしてもよい。
さらに、本考案において、グリップは、支持具本体に直接枢着されていてもよく、他の部材を介して支持具本体に間接的に枢着されていてもよい。
【０００９】
本考案の携帯情報端末用支持具の上記（１）の構成によれば、グリップが、例えば、支持具本体とのなす角度が若干鈍角となる回動位置、及び、折り畳んだ回動位置で保持されるように構成することにより、撮影を行わない場合には、グリップを、折り畳んだ回動位置に保持し、支持具本体に装着された携帯情報端末を支持具本体ごと片手で把持してしっかりと支持しておくことができる。そして、シャッターチャンスが訪れたら、この状態から支持具本体の自由端を開いて、グリップを、支持具本体とのなす角度が若干鈍角となる回動位置に保持し、当該グリップのみを把持して、携帯情報端末を片手でしっかりと支持する。このとき、グリップを把持している手の親指は、携帯情報端末の上面のホームボタンの近傍に位置した状態となるので、ホームボタンを当該親指で押すことにより、携帯情報端末の画面上に写真撮影ボタン、動画撮影ボタン等のアイコンを出現させて、撮影可能な状態にすることができる。撮影可能な状態にしたら、支持具本体の裏面側を被写体に向け、グリップを把持している手の親指を移動させて携帯情報端末の画面上の写真撮影ボタンのアイコンをタッチすることにより、被写体を撮影することができる。
従って、上記（１）の構成を備えた本考案の携帯情報端末用支持具を使用すれば、例えばスマートフォンやタブレット端末等の、カメラ機能を搭載した携帯情報端末を片手でしっかりと支持することが可能となり、かつ、携帯情報端末を片手でしっかりと支持した状態のままで撮影を行うことが可能となる。
尚、シャッターチャンスが訪れた際の上記の一連の動作は、瞬時に行うことができるので、シャッターチャンスを逃してしまう虞はない。
【００１０】
本考案の携帯情報端末用ケースの上記（１）の構成においては、以下の（２）、（３）のような構成にすることが好ましい。
【００１１】
（２）前記グリップは、略長方形状の板材からなり、当該グリップを把持したときに親指以外の指が当たる辺が、人差し指側から小指側に向かって下り傾斜となるように形成されている。
【００１２】
上記（２）の好ましい構成によれば、グリップが、それを把持したときの手にうまくフィットするため、携帯情報端末の上面のホームボタンや、画面上の写真撮影ボタン、動画撮影ボタン等のアイコンの、親指による操作性を向上させることができる。また、携帯情報端末を装着した状態で、グリップを、支持具本体とのなす角度が若干鈍角となる回動位置に保持し、把持したときに親指以外の指が当たる辺を下にして横置きすることにより、携帯情報端末の画面が斜め上方を向くようにすることができる。その結果、横置きした状態での携帯情報端末の画面が見やすくなる。
【００１３】
（３）前記グリップは、ハンドストラップを備えている。
【００１４】
上記（３）の好ましい構成によれば、グリップを把持している手の甲及び親指以外の指を確実に固定することができるので、より安定した撮影を行うことが可能となる。また、グリップを把持している手の力が多少緩んだとしても、携帯情報端末を落としてしまう虞はない。
【考案の効果】
【００１５】
本考案によれば、例えばスマートフォンやタブレット端末等の、カメラ機能を搭載した携帯情報端末を片手でしっかりと支持することを可能とし、かつ、携帯情報端末を片手でしっかりと支持した状態のままで撮影を行うことを可能にする携帯情報端末用支持具を提供することができる。従って、本考案の携帯情報端末用支持具を使用すれば、携帯情報端末を落としてしまうことがないと共に、シャッターチャンスを逃してしまうこともない。
【図面の簡単な説明】
【００１６】
【図１】本考案の実施の形態１における携帯情報端末用支持具の構成を示す斜視図である。
【図２】本考案の実施の形態１における携帯情報端末用支持具の構成を示す分解斜視図である。
【図３】本考案の実施の形態１における携帯情報端末用支持具の構成を示す側面図である。
【図４】図３の矢印Ａの方向から見た斜視図である。
【図５】本考案の実施の形態１における携帯情報端末用支持具を折り畳んだ状態を示す側面図である。
【図６】本考案の実施の形態１における携帯情報端末用支持具のグリップの形状を説明するための裏面図である。
【図７】携帯情報端末が装着された本考案の実施の形態１における携帯情報端末用支持具を横置きした状態を示す斜視図である。
【図８】携帯情報端末が装着された本考案の実施の形態１における携帯情報端末用支持具を折り畳んで把持した状態を示す斜視図である。
【図９】本考案の実施の形態１における携帯情報端末用支持具に装着された携帯情報端末を操作している状態を示す斜視図である。
【図１０】本考案の実施の形態１における携帯情報端末用支持具の他の構成を示す側面図である。
【図１１】本考案の実施の形態２における携帯情報端末用支持具を折り畳んだ状態を示す裏面図である。
【図１２】携帯情報端末が装着された本考案の実施の形態２における携帯情報端末用支持具を折り畳んで把持した状態を示す斜視図である。
【図１３】本考案の実施の形態３における携帯情報端末用支持具の構成を示す斜視図である。
【考案を実施するための形態】
【００１７】
以下、好適な実施の形態を用いて本考案をさらに具体的に説明する。但し、下記の実施の形態は本考案を具現化した例に過ぎず、本考案はこれに限定されるものではない。
【００１８】
［実施の形態１］
（携帯情報端末用支持具の構成）
まず、本考案の実施の形態１における携帯情報端末用支持具の構成について、図１〜図７を参照しながら説明する。
【００１９】
図１は、本考案の実施の形態１における携帯情報端末用支持具の構成を示す斜視図、図２は、当該携帯情報端末用支持具の構成を示す分解斜視図、図３は、当該携帯情報端末用支持具の構成を示す側面図、図４は、図３の矢印Ａの方向から見た斜視図、図５は、当該携帯情報端末用支持具を折り畳んだ状態を示す側面図、図６は、当該携帯情報端末用支持具のグリップの形状を説明するための裏面図、図７は、携帯情報端末が装着された当該携帯情報端末用支持具を横置きした状態を示す斜視図である。
【００２０】
図１〜図５に示すように、本実施の形態の携帯情報端末用支持具１は、略直方体状の外観を呈し、携帯情報端末２が装着可能な、支持具本体としてのケース３と、ケースス３の一端部側に枢着され、当該ケース３の裏面側で回動可能なグリップ４（図３の矢印Ｄ，Ｅ参照）と、を備えている。そして、グリップ４は、所定の回動位置で節度をもって保持されるように構成されている。
【００２１】
ケース３は、柔らかい素材であるシリコンゴム等からなり、携帯情報端末２の外部との接続部が遮蔽されないように、その側面の数箇所が開けられている。
また、ケース３は、上端が開口しており、ケース３の上端開口部から当該ケース３内に携帯情報端末２を装着できるようにされている。そして、ケース３の上端開口縁には、外れ防止部３ａが一体形成されており、これにより、ケース３内に装着した携帯情報端末２が簡単に外れてしまうことがないようにされている。
また、ケース３の底面には、携帯情報端末２のメインカメラのレンズ（図示せず）に対応する箇所に開口８が設けられている。
【００２２】
グリップ４は、ヒンジ機構５を介してケース３の一端部側に枢着されている。
ヒンジ機構５は、矩形状の固定板６の一端部の裏面に設けられた一対の雌型ヒンジ部６ａ，６ａと、グリップ４の一端部に設けられ、一対の雌型ヒンジ部６ａ，６ａにヒンジ連結される雄型ヒンジ部４ａと、を備え、固定板６の上面にケース３が固定されている。
尚、固定板６は、ケース３の底面の開口８を遮蔽しない大きさであればよい。
雄型ヒンジ部４ａと雌型ヒンジ部６ａの連結部分には、グリップ４を、ケース３とのなす角度が若干鈍角（例えば、約９５度〜約１１０度）となる回動位置（図３の（イ）参照）に保持する第１の節度発生部（図示せず）と、グリップ４を、折り畳んだ回動位置（図５の（ロ）参照）に保持する第２の節度発生部（図示せず）と、グリップ４を、ケース３とのなす角度が鋭角（例えば、約４５度〜約６０度）となる回動位置（図３の（ハ）参照）に保持する第３の節度発生部（図示せず）と、が設けられている。第１〜第３の節度発生部は、例えば、雄型ヒンジ部４ａ側に固定されたバネ部材と、雌型ヒンジ部６ａ側に形成され、前記バネ部材の先端Ｒ部が入り込む３つの窪みと、により構成することができる。
【００２３】
グリップ４を、ケース３とのなす角度が若干鈍角となる回動位置に保持すれば、後述のように、当該グリップ４を片手でしっかりと把持した状態のままで（携帯情報端末２を片手でしっかりと支持した状態のままで）で携帯情報端末２の上面のホームボタン７や、画面上の写真撮影ボタン、動画撮影ボタン等のアイコン（図示せず）を操作することができる（撮影を行うことができる）（図９参照）。
また、グリップ４を、折り畳んだ回動位置に保持すれば、後述のように、ケース３に装着された携帯情報端末２をケース３ごと片手で把持してしっかりと支持しておくことができる（図８参照）。
また、グリップ４を、ケース３とのなす角度が鋭角となる回動位置に保持すれば、グリップ４をスタンドとして用いて、携帯情報端末２をテーブル等の上に縦置きしておくことが可能となる。
【００２４】
グリップ４、ヒンジ機構５及び固定板６は、例えば、ＡＢＳ樹脂、ＰＰ樹脂等の、一定の強度と弾性を有する樹脂素材からなっている。
【００２５】
以上のように、本実施の形態の携帯情報端末用支持具１の構成によれば、カメラ機能を搭載した携帯情報端末２を片手でしっかりと支持することを可能とし、かつ、携帯情報端末２を片手でしっかりと支持した状態のままで撮影を行うことを可能にする携帯情報端末用支持具を提供することができる。従って、本実施の形態の携帯情報端末用支持具１を使用すれば、携帯情報端末２を落としてしまうことがないと共に、シャッターチャンスを逃してしまうこともない。
【００２６】
グリップ４は、略長方形状の板材からなっている。そして、図６に示すように、当該グリップ４を把持したときに親指以外の指が当たる辺が、人差し指側から小指側に向かって下り傾斜となるように形成されている。
かかる構成によれば、グリップ４が、それを把持したときの手にうまくフィットするため、携帯情報端末２の上面のホームボタン７や、画面上の写真撮影ボタン、動画撮影ボタン等のアイコンの、親指による操作性を向上させることができる。また、図７に示すように、携帯情報端末２を装着した状態で、グリップ４を、ケース３とのなす角度が若干鈍角となる回動位置に保持し、把持したときに親指以外の指が当たる辺を下にしてテーブル等の上に横置きすることにより、携帯情報端末２の画面が斜め上方を向くようにすることができる。その結果、横置きした状態での携帯情報端末２の画面が見やすくなる。
【００２７】
図１〜図５に示すように、グリップ４は、ハンドストラップ９を備えている。ハンドストラップ９は、帯状の可撓性部材からなり、グリップ４の一端部に設けられた雄型ヒンジ部４ａにその一端部が固着されている。また、グリップ４の他端部側には、互いに平行な２つの矩形状の貫通孔４ｂ，４ｃが形成されており、ハンドストラップ９の他端部は、貫通孔４ｂに挿通され、貫通孔４ｃから引き出されて、ハンドストラップ９の表面に面ファスナを用いて長さ調整可能に貼り付けられている。  かかる構成によれば、グリップ４を把持している手の甲及び親指以外の指を確実に固定することができるので（図８参照）、より安定した撮影を行うことが可能となる。また、グリップ４を把持している手の力が多少緩んだとしても、携帯情報端末２を落としてしまう虞はない。
【００２８】
（携帯情報端末用支持具の使用方法）
次に、本実施の形態における携帯情報端末用支持具の使用方法について、図８，図９をも参照しながら説明する。
【００２９】
図８は、携帯情報端末が装着された本考案の実施の形態１における携帯情報端末用支持具を折り畳んで把持した状態を示す斜視図、図９は、当該携帯情報端末用支持具に装着された携帯情報端末を操作している状態を示す斜視図である。
【００３０】
まず、図１，図３に示すように、携帯情報端末２を、ケース３の上端開口部から当該ケース３内に装着する（図１の矢印Ｂ、図３の矢印Ｃ参照）。
撮影を行わない場合には、図５，図８に示すように、グリップ４を、折り畳んだ回動位置に保持して、ハンドストラップ９に手を挿入する。そして、図８に示すように、ケース３に装着された携帯情報端末２をケース３ごと片手で把持してしっかりと支持しておく。
シャッターチャンスが訪れたら、図８に示す状態からもう一方の手でケース３の自由端を持ち上げて（図８の矢印Ｆ参照）、グリップ４を、ケース３とのなす角度が若干鈍角となる回動位置に保持し、当該グリップ４のみを把持して、携帯情報端末２を片手でしっかりと支持する（図９参照）。このとき、図９に示すように、グリップ４を把持している手の親指は、携帯情報端末２の上面のホームボタン７の近傍に位置した状態となるので、ホームボタン７を当該親指で押すことにより、携帯情報端末２の画面上に写真撮影ボタン、動画撮影ボタン等のアイコン（図示せず）を出現させて、撮影可能な状態にすることができる。撮影可能な状態にしたら、ケース３の裏面側を被写体に向け、グリップ４を把持している手の親指を移動させて携帯情報端末２の画面上の写真撮影ボタンのアイコンをタッチすることにより（図９の矢印Ｇ参照）、被写体を撮影することができる。
従って、上記の構成を備えた本実施の形態の携帯情報端末用支持具１を使用すれば、例えばスマートフォンやタブレット端末等の、カメラ機能を搭載した携帯情報端末２を片手でしっかりと支持することが可能となり、かつ、携帯情報端末２を片手でしっかりと支持した状態のままで撮影を行うことが可能となる。
尚、シャッターチャンスが訪れた際の上記の一連の動作は、瞬時に行うことができるので、シャッターチャンスを逃してしまう虞はない。
【００３１】
また、ケース３の裏面側を被写体に向け、グリップ４を把持している手の親指を移動させて携帯情報端末２の画面上の動画撮影ボタンのアイコンをタッチすることにより、被写体の動画撮影を行うこともできる。この場合、ハンディカム（登録商標）と同じような握り、構えとなるので、安定した動画撮影を行うことが可能となる。
【００３２】
尚、本実施の形態においては、グリップ４が固定板６を介してケース３に間接的に枢着されている場合を例に挙げて説明したが、本考案は必ずしもこのような構成に限定されるものではない。ケースがポリカーボネート等の固めの素材からなるものであれば、図１０に示すように、グリップ１０をケース１１の一端部側に直接枢着するようにしてもよい。図１０中、参照符号１２はヒンジ機構を示しており、当該ヒンジ機構１２は、ケース１１の一端部の裏面に設けられた一対の雌型ヒンジ部１１ａ，１１ａと、グリップ１０の一端部に設けられ、一対の雌型ヒンジ部１１ａ，１１ａにヒンジ連結される雄型ヒンジ部１０ａと、を備えている。
【００３３】
また、本実施の形態においては、グリップ４が所定の回動位置で節度をもって保持されるように構成されている場合を例に挙げて説明したが、本考案は必ずしもこのような構成に限定されるものではない。グリップは、所定の回動位置で保持されるように構成されていれば十分であり、所定の回動位置で節度感（クリック感）を与えるようにすることは任意である。
また、本実施の形態においては、グリップ４が、ケース３とのなす角度が若干鈍角となる回動位置、折り畳んだ回動位置、及び、ケース３とのなす角度が鋭角となる回動位置で保持される場合を例に挙げて説明したが、本考案は必ずしもこのような構成に限定されるものではない。グリップは、どの回動位置で保持されるように構成されていてもよい。
【００３４】
また、本実施の形態においては、グリップ４が略長方形状（縦長台形状）の板材からなる場合を例に挙げて説明したが、本考案は必ずしもこのような構成に限定されるものではない。グリップの形状としては、縦長台形平板状のほか、例えば、棒状、楕円形平板状、正方形平板状のものを採用することもできる。また、握りやすくするために、グリップの表面に溝等を形成するようにしてもよい。
また、本実施の形態においては、グリップ４が、当該グリップ４を把持したときに親指以外の指が当たる辺のみが人差し指側から小指側に向かって下り傾斜となるように形成されている場合を例に挙げて説明したが、本考案は必ずしもこのような構成に限定されるものではない。グリップ４を把持したときに親指以外の指が当たる辺と対向する辺も、同じように傾斜していてよい。
【００３５】
また、本実施の形態においては、ケース３の上端開口部から当該ケース３内に携帯情報端末２を装着する場合を例に挙げて説明したが、本考案は必ずしもこのような構成に限定されるものではない。携帯情報端末は、ケースの側面開口部から当該ケース内に装着するようにしてもよい。
【００３６】
また、本実施の形態においては、グリップ４がハンドストラップ９を備えている場合を例に挙げて説明したが、本考案は必ずしもこのような構成に限定されるものではない。グリップがハンドストラップを備えるようにすることは任意である。
また、本実施の形態においては、ハンドストラップ９の一端部がグリップ４の一端部に設けられた雄型ヒンジ部４ａに固着されている場合を例に挙げて説明したが、本考案は必ずしもこのような構成に限定されるものではない。図１０に示すように、グリップ１０の両端部分にそれぞれ矩形状の貫通孔１０ｂ，１０ｃを形成し、当該貫通孔１０ｂ，１０ｃにハンドストラップ１３の両端部をそれぞれ挿通させて固定するようにしてもよい。尚、この場合の貫通孔の形状は、例えば、楕円形や円形にすることもできる。
また、本実施の形態においては、帯状の部材からなるハンドストラップ９を例に挙げて説明したが、本考案は必ずしもこのような構成に限定されるものではない。ハンドストラップは、例えば、紐状のものであってもよい。
【００３７】
また、本実施の形態においては、ケース３の底面の、携帯情報端末２のメインカメラのレンズに対応する箇所に開口８が設けられている場合を例に挙げて説明したが、本考案は必ずしもこのような構成に限定されるものではない。ケース３の底面の、携帯情報端末２のメインカメラのレンズに対応する箇所を透明な部材で形成するようにしてもよい。
【００３８】
また、本実施の形態においては、ケース３に装着された携帯情報端末２をケース３ごと片手で把持してしっかりと支持した図８に示す状態からもう一方の手でケース３の自由端を持ち上げて撮影可能な状態に持って行く場合を例に挙げて説明したが、図９に示すグリップ４のみを把持した状態でシャッターチャンスに備えるようにしてもよい。
【００３９】
［実施の形態２］
次に、本考案の実施の形態２における携帯情報端末用支持具の構成について、図１１，図１２を参照しながら説明する。
【００４０】
図１１は、本考案の実施の形態２における携帯情報端末用支持具を折り畳んだ状態を示す裏面図、図１２は、携帯情報端末が装着された当該携帯情報端末用支持具を折り畳んで把持した状態を示す斜視図である。
【００４１】
図１１に示すように、本実施の形態の携帯情報端末用支持具１４は、略直方体状の外観を呈し、携帯情報端末２（図１２参照）が装着可能な、支持具本体としてのケース３と、ケースス３の一端部側に枢着され、当該ケース３の裏面側で回動可能なグリップ１５と、を備えている。そして、グリップ１５は、所定の回動位置で節度をもって保持されるように構成されている。尚、図１１中、参照符号１７はヒンジ機構を、参照符号１５ａは雄型ヒンジ部をそれぞれ示している。また、参照符号１６はハンドストラップを示している。ハンドストラップ１６は、帯状の可撓性部材からなり、グリップ１５の一端部に設けられた雄型ヒンジ部１５ａにその一端部が固着されている。また、グリップ１５の他端部側には、互いに平行な２つの矩形状の貫通孔１５ｂ，１５ｃが形成されており、ハンドストラップ１６の他端部は、貫通孔１５ｂに挿通され、貫通孔１５ｃから引き出されて、ハンドストラップ１６の表面に面ファスナを用いて長さ調整可能に貼り付けられている。また、上記実施の形態１における携帯情報端末用支持具１の構成部材と同一の構成部材には同一の参照符号を付し、それらの説明は省略する。
【００４２】
本実施の形態の携帯情報端末用支持具１４においても、上記実施の形態１の携帯情報端末用支持具１と同様に、雄型ヒンジ部１５ａと雌型ヒンジ部６ａの連結部分には、グリップ１５を、ケース３とのなす角度が若干鈍角となる回動位置に保持する第１の節度発生部と、グリップ１５を、折り畳んだ回動位置に保持する第２の節度発生部と、グリップ１５を、ケース３とのなす角度が鋭角となる回動位置に保持する第３の節度発生部と、が設けられている。
【００４３】
グリップ１５は、略長方形状の板材からなっている。そして、上記実施の形態１の携帯情報端末用支持具１の場合と同様に、当該グリップ１５を把持したときに親指以外の指が当たる辺が、人差し指側から小指側に向かって下り傾斜となるように形成されている。
【００４４】
本実施の形態の携帯情報端末用支持具１４においては、グリップ１５の長さがケース３の長さよりも短くなっている。グリップ１５の長さは、当該グリップ１５を折り畳んだときにケース３の底面の開口８を遮蔽しない長さであればよい（図１１参照）。
かかる構成によれば、携帯情報端末２が装着された携帯情報端末用支持具１４を折り畳んだときに、グリップ１５によって携帯情報端末２のメインカメラのレンズが隠れることはないので、携帯情報端末用支持具１４を折り畳んだ状態で従来と同様の方法で撮影を行うことも可能となる（特許文献１の図３参照）。また、かかる構成によれば、グリップ１５が携帯情報端末２のメインカメラのレンズに当たって当該レンズを傷付けてしまう虞もない。
グリップ１５の長さがケース３の長さよりも短くなっているという上記構成によれば、さらに以下のような効果を得ることもできる。すなわち、ケース３に装着された携帯情報端末２をケース３ごと片手で把持してしっかりと支持した図１２に示す状態から、ケース３の自由端の底面を足や腕等に押し当てて（図１２の矢印Ｈ参照）、ケース３の自由端を開き（図１２の矢印Ｉ参照）、撮影可能な状態（図９参照）に持って行くことができる。
尚、この場合であっても、もう一方の手でケース３の自由端を持ち上げて撮影可能な状態に持って行ってもよい。
【００４５】
［実施の形態３］
次に、本考案の実施の形態３における携帯情報端末用支持具の構成について、図１３を参照しながら説明する。
【００４６】
図１３は、本考案の実施の形態３における携帯情報端末用支持具の構成を示す斜視図である。
【００４７】
図１３に示すように、本実施の形態の携帯情報端末用支持具１８は、略直方体状の外観を呈し、携帯情報端末２が装着可能な支持具本体１９と、支持具本体１９の一端部側にヒンジ機構２４を介して枢着され、当該支持具本体１９の裏面側で回動可能なグリップ２０と、を備えている。そして、上記実施の形態１，２の場合と同様に、グリップ２０は、所定の回動位置で節度をもって保持されるように構成されている。
【００４８】
ヒンジ機構２４は、支持具本体１９の一端部に設けられた一対の雌型ヒンジ部１９ａ，１９ａと、グリップ２０の一端部に設けられ、一対の雌型ヒンジ部１９ａ，１９ａにヒンジ連結される雄型ヒンジ部２０ａと、を備えている。
グリップ２０は、略長方形状の板材からなっている。そして、当該グリップ２０を把持したときに親指以外の指が当たる辺が、人差し指側から小指側に向かって下り傾斜となるように形成されている。
グリップ２０は、ハンドストラップ２５を備えている。ハンドストラップ２５は、帯状の可撓性部材からなり、グリップ２０の一端部に設けられた雄型ヒンジ部２０ａにその一端部が固着されている。また、グリップ２０の他端部側には、互いに平行な２つの矩形状の貫通孔２０ｂ，２０ｃが形成されており、ハンドストラップ２５の他端部は、貫通孔２０ｂに挿通され、貫通孔２０ｃから引き出されて、ハンドストラップ２５の表面に面ファスナを用いて長さ調整可能に貼り付けられている。
【００４９】
支持具本体１９は、平行に設けられた棒状の一対の載置部材２１ａ，２１ｂと、一対の載置部材２１ａ，２１ｂの一側部に設けられたストッパ部材２２と、一対の載置部材２１ａ，２１ｂの他側側に設けられた当接部材２３と、を備えている。ここで、載置部材２１ｂは、上記したヒンジ機構２４が兼ねている。
当接部材２３は、ストッパ部材２２と対向配置される当接体２３ａと、当該当接体２３ａを保持し、一対の載置部材２１ａ，２１ｂにそれぞれ挿通される平行な一対の軸体２３ｂ，２３ｃと、当接体２３ａの裏側に設けられた摘み２３ｄと、を備えている。そして、当接部材２３は、一対の軸体２３ｂ，２３ｃが一対の載置部材２１ａ，２１ｂに入り込む方向にバネ付勢されている。
【００５０】
かかる構成の支持具本体１９を用いれば、摘み２３ｄを持って当接体２３ａを引き出した状態で（図１３の矢印Ｊ，Ｋ参照）、一対の載置部材２１ａ，２１ｂ上に携帯情報端末２を横向きに載せ（図１３の矢印Ｌ参照）、その後、摘み２３ｄを放すことにより、ストッパ部材２２と当接体２３ａとによって携帯情報端末２を挟持することができる。これにより、図９と同じような状態で支持具本体１９に携帯情報端末２をしっかりと装着することができる。
【００５１】
尚、支持具本体１９を、図１３に示す状態から水平反時計回り方向に９０°回転させた構成にし、携帯情報端末２を縦向きに挟持するようにしてもよい。この場合、ヒンジ機構２４は、載置部材２１ｂとは別個に設けられる。
また、支持具本体としては、自動車に装着可能なスマートフォン車載ホルダにおけるホルダ部分等と同様の挟持機能を有するものを用いることもできる。
【符号の説明】
【００５２】
１，１４，１８  携帯情報端末用支持具
２  携帯情報端末
３，１１  ケース
３ａ  外れ防止部
４，１０，１５，２０  グリップ
４ａ，１０ａ，１５ａ，２０ａ  雄型ヒンジ部
４ｂ，４ｃ，１０ｂ，１０ｃ，１５ｂ，１５ｃ  貫通孔
５，１２，１７，２４  ヒンジ機構
６  固定板
６ａ，１１ａ，１９ａ  雌型ヒンジ部
７  ホームボタン
８  開口
９，１３，１６，２５  ハンドストラップ
１９  支持具本体
２１ａ，２１ｂ  載置部材
２２  ストッパ部材
２３  当接部材
２３ａ  当接体
２３ｂ，２３ｃ  軸体
２３ｄ  摘み
【図１】
0003203438.tif 000003
【図２】
0003203438.tif 000004
【図３】
0003203438.tif 000005
【図４】
0003203438.tif 000006
【図５】
0003203438.tif 000007
【図６】
0003203438.tif 000008
【図７】
0003203438.tif 000009
【図８】
0003203438.tif 000010
【図９】
0003203438.tif 000011
【図１０】
0003203438.tif 000012
【図１１】
0003203438.tif 000013
【図１２】
0003203438.tif 000014
【図１３】
0003203438.tif 000015